(57)【要約】【課題】  桁に形成された反りの大きさが床版の重量に対応していない場合であっても、当該床版を安定的に設置することが可能で且つ桁の上面と床版の下面との間に打設した硬化材が床版の下面から剥離することのない床版の設置方法を提供し、さらには、複数の床版を連続して設置するに際し、複数の床版の上面を連続的に平坦にすることが可能な床版の設置方法を提供することを課題とする。【解決手段】  反りのある桁１０の上面に結合部材２０を設ける結合部材設置工程と、桁１０の上面に床版４０を支持するスペーサ３０を配置するスペーサ配置工程と、床版４０に形成された中空部４５に結合部材２０を挿入しつつ床版４０をスペーサ３０の上面に載置する床版載置工程と、桁１０の上面と床版４０の下面との間の空間を囲繞する型枠を設置する型枠設置工程と、中空部４５および型枠で囲繞された空間に硬化材５０を打設する硬化材打設工程と、を含む床版の設置方法とする。【選択図】      図２
2005213826.tif 000002
【特許請求の範囲】
【請求項１】
反りのある桁上に床版を設置する方法であって、
前記桁の上面に結合部材を設ける結合部材設置工程と、
前記桁の上面に前記床版を支持するスペーサを配置するスペーサ配置工程と、
前記床版に形成された中空部に前記結合部材を挿入しつつ前記床版を前記スペーサの上面に載置する床版載置工程と、
前記桁の上面と前記床版の下面との間の空間を囲繞する型枠を設置する型枠設置工程と、
前記中空部および前記型枠で囲繞された空間に硬化材を打設する硬化材打設工程と、
を含むことを特徴とする床版の設置方法。
【請求項２】
反りのある桁上に複数の床版を連続して設置する方法であって、
前記桁の上面に結合部材を設ける結合部材設置工程と、
前記桁の上面に前記各床版を支持するスペーサを前記各床版に対応して配置するスペーサ配置工程と、
前記各床版に形成された中空部に前記結合部材を挿入しつつ前記各床版を前記各スペーサの上面に載置する床版載置工程と、
前記桁の上面と前記床版の下面との間の空間を囲繞する型枠を設置する型枠設置工程と、
前記各中空部および前記型枠で囲繞された空間に硬化材を打設する硬化材打設工程と、
を含み、
前記各スペーサの高さは、前記桁の無負荷時の反りと前記複数の床版の総てを前記桁上に載置したときに前記桁に発生するたわみ量に基づいて設定されていることを特徴とする床版の設置方法。
【請求項３】
反りのある桁上に複数の床版を連続して設置する方法であって、
前記桁の上面に結合部材を設ける結合部材設置工程と、
前記桁の上面に前記各床版を支持する高さ調節可能なスペーサを前記各床版に対応して配置するスペーサ配置工程と、
前記各床版に形成された中空部に前記結合部材を挿入しつつ前記各床版を前記各スペーサの上面に載置する床版載置工程と、
前記各スペーサの高さを調節して前記複数の床版を平坦にするスペーサ調節工程と、
前記桁の上面と前記床版の下面との間の空間を囲繞する型枠を設置する型枠設置工程と、
前記各中空部および前記型枠で囲繞された空間に硬化材を打設する硬化材打設工程と、
を含むことを特徴とする床版の設置方法。
【請求項４】
前記床版載置工程の前段に、前記桁の上面と前記床版の下面との間に納まる長さのずれ止め部材を前記桁の上面に設けるずれ止め部材設置工程を含むことを特徴とする請求項１乃至請求項３のいずれか一項に記載の床版の設置方法。
【請求項５】
前記硬化材打設工程の前段に、前記硬化材に埋設される鉄筋を前記桁の上方に配置する配筋工程を含むことを特徴とする請求項１乃至請求項４のいずれか一項に記載の床版の設置方法。
【発明の詳細な説明】
【技術分野】
【０００１】
本発明は、反りのある桁上に床版を設置する方法に関する。
【背景技術】
【０００２】
従来、橋梁の床版として鉄筋コンクリート製のもの（ＲＣ床版）が使用されているが、死荷重を低減してより重量の大きい車両の通行を可能とすべく、重量の嵩むＲＣ床版をより軽量な鋼製床版、プレストレスト・コンクリート床版（ＰＣ床版）、アルミニウム合金製の床版などに取り替えるという試みがある。すなわち、既設の床版をより軽量な床版に取り替えて死荷重の低減を図ることにより、桁や橋脚に補強等を施すことなく車両の重量規制の上限を高めようとするものである。なお、既設の床版を取り替える方法としては、例えば、特許文献１や特許文献２に記載されているものが知られている。
【０００３】
ところで、床版を支持する桁には、上向きの反り（キャンバー）が形成されていることがある。例えば、道路橋示方書によれば、支間２５ｍ以上の桁（プレートガーダー）には、反りを付けるのが原則とされている。ここで、「反り」とは、死荷重による桁のたわみに対応する上げ越しを意味しており、反りの大きさは、桁に死荷重（床版の重量等）を作用させたときに、路面が平坦になるように、すなわち、路面が所定の高さ（線形）に納まるように設定されている。
【０００４】
【特許文献１】特開２００３−２８６７０７号公報（全頁）
【特許文献２】特開２０００−０１７６１８号公報（全頁）
【発明の開示】
【発明が解決しようとする課題】
【０００５】
既設の床版を新設の床版に取り替える場合には、既設の床版を撤去する必要があるが、図１１（ａ）（ｂ）に示すように、桁１０から既設の床版１４０，１４０，…を取り除くと、桁１０には再び反りが発生することになる。ところが、この「反り」は、当然のことながら、既設の床版１４０の重量に対応しているのであって、新設の床版４０の重量に対応しているのではない。したがって、図１１（ｃ）に示すように、新設の床版４０，４０，…を桁１０に設置しても反りが残置してしまい、新設の床版４０，４０，…の上面（路面）が平坦にならない。すなわち、複数の既設の床版１４０，１４０，…に対応する上げ越しが桁１０の中央においてｈ1であり（図１１（ｂ）参照）、一方、複数の新設の床版４０，４０，…に対応する上げ越しが桁１０の中央においてｈ2だけあれば足りるとすると、複数の既設の床版１４０，１４０，…に対応する上げ越しが施された桁１０に複数の新設の床版４０，４０，…を連続して載置した場合には、桁１０の中央においてｈ3＝ｈ1−ｈ2の反りが残存することになり、所定の路面高さ（線形）に対して誤差が生じることになる（図１１（ｃ）参照）。
【０００６】
また、桁１０の上面に無収縮モルタル等の硬化材を打設し、当該硬化材の上面を平坦にしたうえで、このモルタル等の上面に床版４０を設置する方法も考えられるが、床版４０を載置したときにその重量によって桁１０にたわみが発生するため、硬化材が床版４０の下面から剥離し、硬化材の上面と床版４０の下面との間に隙間が発生する虞もある。このような状態では、床版４０が安定的に設置されているとはいえない。
【０００７】
なお、既設の床版を新設の床版に取り替える際に桁の「反り」を考慮する旨の記載は、特許文献１および特許文献２には見当たらない。
【０００８】
また、上記の問題は、床版の取替時のみならず、例えば橋梁自体を新設する場合であっても、桁の反りが床版の重量に対応していない場合に共通して当てはまる問題である。また、橋梁の場合のみならず、歩道橋、鉄道橋、人工地盤など様々な構造物にも共通する問題でもある。
【０００９】
そこで、本発明は、桁に形成された反りの大きさが床版の重量に対応していない場合であっても、当該床版を安定的に設置することが可能な床版の設置方法であって、桁の上面と床版の下面との間に打設した硬化材が床版の下面から剥離することのない床版の設置方法を提供することを課題とし、さらには、複数の床版を連続して設置するに際し、複数の床版の上面を連続的に平坦にすることが可能な床版の設置方法を提供することを課題とする。
【課題を解決するための手段】
【００１０】
かかる課題を解決するために創案された請求項１の発明は、反りのある桁上に床版を設置する方法であって、前記桁の上面に結合部材を設ける結合部材設置工程と、前記桁の上面に前記床版を支持するスペーサを配置するスペーサ配置工程と、前記床版に形成された中空部に前記結合部材を挿入しつつ前記床版を前記スペーサの上面に載置する床版載置工程と、前記桁の上面と前記床版の下面との間の空間を囲繞する型枠を設置する型枠設置工程と、前記中空部および前記型枠で囲繞された空間に硬化材を打設する硬化材打設工程と、を含むことを特徴とする。
【００１１】
かかる床版の設置方法によると、床版を桁上に載置し、当該床版の重量に起因するたわみが桁に発生した状態で床版の中空部および型枠で囲繞された空間（すなわち、桁の上面と床版の下面との間）に硬化材を打設するので、硬化材の上面と床版の下面とが剥離することがなく、ひいては、床版を安定的に支持することが可能となる。また、硬化材が硬化する前においては、スペーサで床版を支持することとした。このようにすると、型枠に余分な荷重が作用することがないので、型枠を軽構造にすることができる。
【００１２】
なお、型枠を桁の上面に設置し、この型枠の上に床版を載置するという方法も考えられるが、このようにすると、型枠自体が重構造になってしまうだけでなく、型枠に床版を載置したときに、桁や型枠のたわみに起因して桁と型枠との間や床版と型枠との間に隙間が発生し、硬化材打設時の止水が不完全になってしまう虞があるのに対し、床版を載置した後に型枠を設置する請求項１の発明によれば、かかる不具合が生ずることがない。
【００１３】
請求項２の発明は、反りのある桁上に複数の床版を設置する方法であって、前記桁の上面に結合部材を設ける結合部材設置工程と、前記桁の上面に前記各床版を支持するスペーサを前記各床版に対応して配置するスペーサ配置工程と、前記各床版に形成された中空部に前記結合部材を挿入しつつ前記各床版を前記各スペーサの上面に載置する床版載置工程と、前記桁の上面と前記床版の下面との間の空間を囲繞する型枠を設置する型枠設置工程と、前記各中空部および前記型枠で囲繞された空間に硬化材を打設する硬化材打設工程と、を含み、前記各スペーサの高さは、前記桁の無負荷時の反りと前記複数の床版の総てを前記桁上に載置したときに前記桁に発生するたわみ量とに基づいて設定されていることを特徴とする。
【００１４】
かかる床版の設置方法によると、複数の床版を桁上に載置し、当該複数の床版の重量に起因するたわみが桁に発生した状態で各床版の中空部および型枠で囲繞された空間（すなわち、桁の上面と各床版の下面との間）に硬化材を打設するので、硬化材の上面と各床版の下面とが剥離することがなく、ひいては、床版を安定的に支持することが可能となる。また、硬化材が硬化する前においては、スペーサで各床版を支持することとした。このようにすると、型枠に余分な荷重が作用することがないので、型枠を軽構造にすることができる。
【００１５】
なお、型枠を桁の上面に設置し、この型枠の上に床版を載置するという方法も考えられるが、このようにすると、型枠自体が重構造になってしまうだけでなく、型枠に各床版を載置したときに、桁や型枠のたわみに起因して桁と型枠との間や各床版と型枠との間に隙間が発生し、硬化材打設時の止水が不完全になってしまう虞があるのに対し、複数の床版を載置した後に型枠を設置する請求項２の発明によれば、かかる不具合が生ずることがない。
【００１６】
また、無負荷時の桁の反りと複数の床版の総てを桁に載置したときに当該桁に発生するたわみ量に基づいてスペーサの高さが設定されているので、総ての床版を載置したときに、これら複数の床版の上面が平坦に連続するようになる。すなわち、桁の反りの大きさが床版の重量に対応していない場合であっても、複数の床版の上面を連続的に平坦にすることができる。
【００１７】
請求項３の発明は、反りのある桁上に複数の床版を設置する方法であって、前記桁の上面に結合部材を設ける結合部材設置工程と、前記桁の上面に前記各床版を支持する高さ調節可能なスペーサを前記各床版に対応して配置するスペーサ配置工程と、前記各床版に形成された中空部に前記結合部材を挿入しつつ前記各床版を前記各スペーサの上面に載置する床版載置工程と、前記各スペーサの高さを調節して前記複数の床版を平坦にするスペーサ調節工程と、前記桁の上面と前記床版の下面との間の空間を囲繞する型枠を設置する型枠設置工程と、前記各中空部および前記型枠で囲繞された空間に硬化材を打設する硬化材打設工程と、を含むことを特徴とする。
【００１８】
かかる床版の設置方法によると、複数の床版を桁上に載置した状態で各床版の中空部および型枠で囲繞された空間に硬化材を打設するので、硬化材の上面と各床版の下面とが剥離することがなく、ひいては、床版を安定的に支持することが可能となる。また、硬化材が硬化する前においては、スペーサで各床版を支持することとした。このようにすると、型枠に余分な荷重が作用することがないので、型枠を軽構造にすることができる。
【００１９】
なお、型枠を桁の上面に設置し、この型枠の上に床版を載置するという方法も考えられるが、このようにすると、型枠自体が重構造になってしまうだけでなく、型枠に各床版を載置したときに、桁や型枠のたわみに起因して桁と型枠との間や各床版と型枠との間に隙間が発生し、硬化材打設時の止水が不完全になってしまう虞があるのに対し、複数の床版を載置した後に型枠を設置する請求項３の発明によれば、かかる不具合が生ずることがない。
【００２０】
また、桁に形成された反りおよび複数の床版を載置したときに当該桁に発生するたわみ量が場所によって異なるので、床版ごとにスペーサの高さ寸法を変化させる必要があるが、請求項３に係るスペーサは、その高さ寸法を調節することができるので、かかる変化に極めて容易に対応することが可能であり、その結果、複数の床版の上面を確実に平坦にすることが可能になる。
【００２１】
請求項４の発明は、請求項１乃至請求項３のいずれか一項に記載の床版の設置方法であって、前記床版載置工程の前段に、前記桁の上面と前記床版の下面との間に納まる長さのずれ止め部材を前記桁の上面に設けるずれ止め部材設置工程を含むことを特徴とする。
【００２２】
かかる床版の設置方法によると、硬化材が確実に桁の上面に付着することになるので、当該硬化材の剥離を防止することが可能となる。
【００２３】
請求項５の発明は、請求項１乃至請求項４のいずれか一項に記載の床版の設置方法であって、前記硬化材打設工程の前段に、前記硬化材に埋設される鉄筋を前記桁の上方に配置する配筋工程を含むことを特徴とする。
【００２４】
かかる床版の設置方法によると、硬化材にひび割れが発生し難くなるので、結合部材やずれ止め部材の腐食を防止することが可能となる。
【発明の効果】
【００２５】
本発明に係る床版の設置方法によると、桁に形成された反りの大きさが床版の重量に対応していない場合であっても、当該床版を安定的に設置することが可能となり、さらに、桁の上面と床版の下面との間に打設した硬化材が床版の下面から剥離することもない。そして、本発明を利用することにより、重量の嵩む床版をより軽量な床版に取り替えることが容易になる。
【００２６】
また、複数の床版を連続して設置するに際し、桁に形成された反りの大きさが複数の床版の重量に対応していない場合であっても、複数の床版の上面を連続的に平坦にすることが可能となる。
【発明を実施するための最良の形態】
【００２７】
以下、本発明を実施するための最良の形態を、添付した図面を参照しつつ詳細に説明する。なお、以下の各実施形態では、既設の床版の重量に合わせて桁に反りが形成されている場合において、既設の床版を撤去してより軽量な床版に取り替える場合、言い換えれば、桁の反りが新設の床版に対応していない場合を想定している。
【００２８】
［第１の実施形態］
第１の実施形態に係る床版の設置方法は、図１に示すように、上向きの反りのある桁１０，１０上に新設の床版４０（以下、単に「床版４０」という）を設置する方法であって、桁１０，１０の上面にスペーサ３０を介して床版４０を載置したうえで、桁１０の上面と床版４０の下面との間に形成された空間を囲繞する型枠５５（図６（ａ）参照）を設置し、その後、図２に示すように、床版４０の中空部４５および型枠５５で囲繞された空間に硬化材５０を打設するものであり、結合部材設置工程、ずれ止め部材設置工程、配筋工程、スペーサ配置工程、床版載置工程、型枠設置工程および硬化材打設工程を含む。なお、本実施形態では、複数の床版４０，４０，…を連続して設置する場合を例示する。
【００２９】
ここで、桁１０は、橋脚間に架設される断面Ｉ（Ｈ）形の鋼製のプレートガーダーであり、硬化材５０は、無収縮モルタルである。なお、桁１０の形状や材質は図示のものに限定されることはなく、例えば、鉄筋コンクリート製のものであっても差し支えない。また、硬化材５０も、無収縮モルタルに限定されることはなく、例えば、コンクリートや樹脂系のものを使用することができる。
【００３０】
床版４０は、複数のアルミニウム合金製の中空押出形材を溶接や摩擦攪拌接合等により接合して形成したものであり、図３（ａ）（ｂ）に示すように、上下方向に対向する上板４１および下板４２と、これらを接続する複数の腹板４３，４３，…とを備えている。上板４１には、複数の注入孔４１ａ，４１ａ，…が所定の間隔をあけて形成されており、各注入孔４１ａの周囲には、一対のガス抜き孔４１ｂ，４１ｂが形成されている。また、下板４２には、上板４１に形成された注入孔４１ａ，４１ａ，…のそれぞれの直下に結合部材２０が挿通される矩形形状の通し孔４２ａ，４２ａ，…が形成されている（図７（ａ）（ｂ）参照）。また、注入孔４１ａおよび通し孔４２ａを挟んで対向する腹板４３，４３間には、注入孔４１ａおよび通し孔４２ａを挟んで対向する一対の堰板４４，４４が配置されている。なお、以下では、注入孔４１ａおよび通し孔４２ａを挟んで対向する腹板４３，４３と一対の堰板４４，４４とにより形成される空間４５を「中空部４５」と称することにする。ここで、中空部４５とは、桁１０に立設された結合部材２０が挿通される空間を意味し、その寸法形状は問わない。例えば、本実施形態に係る床版４０では、その側断面が上に広がる台形（下側が窄んだ形状）を呈するホロー部に中空部４５を形成したが、側断面が下に広がる台形（上側が窄んだ形状）を呈するホロー部４５’（図３（ａ）参照）に中空部を形成することも可能であり、さらには、その双方に中空部を形成することも可能である。また、図示は省略するが、腹板４３を上板４１および下板４２に対して直角に形成してもよく、この場合には、側断面が矩形を呈するホロー部に中空部が形成されることになる。また、本実施形態では、アルミニウム合金製の押出形材からなる床版４０を例示したが、鋼製の床版またはＰＣ床版を利用することも可能である。なお、ＰＣ床版を利用する場合には、上に広がる形状の箱抜き（凹部）が形成されることになるが、この場合には、この箱抜きが「中空部」となる。
【００３１】
以下、本実施形態に係る床版の設置方法を工程ごとに詳細に説明する。
【００３２】
（結合部材設置工程）
結合部材設置工程は、図４（ａ）（ｂ）に示すように、反りのある桁１０の上面に所定の間隔をあけて複数の結合部材２０，２０，…を立設固定する工程である。複数の結合部材２０，２０，…は、床版４０に形成された複数の中空部４５，４５，…（図３（ａ）参照）に対応して配置されており、床版４０をスペーサ３０の上面に載置したときに、床版４０の通し孔４２ａから中空部４５内に挿入される（図７（ａ）（ｂ）参照）。ここで、本実施形態に係る結合部材２０は、桁１０の長手方向に直交する方向に沿って配置された三個一組の鋼製のスタッドジベル２１，２１，２１から構成されており、スタッド溶接により桁１０に固定される。なお、スタッドジベル２１の本数は、床版４０の形状や桁１０の形状等に対応させて適宜変更しても差し支えない。
【００３３】
（ずれ止め部材設置工程）
ずれ止め部材設置工程は、結合部材設置工程と同時に若しくは前後して行われる工程であって、図４（ｃ）に示すように、ずれ止め部材６０を桁１０の上面に立設固定する工程である。本実施形態に係るずれ止め部材６０は、桁１０の上面への硬化材５０の付着を確実にするためのものであり、桁１０の長手方向に直交する方向に沿って配置された三個一組の鋼製のスタッドジベル６１，６１，６１から構成されており、スタッド溶接により桁１０に固定される。また、図７（ｂ）に示すように、ずれ止め部材６０は、桁１０の上面と床版４０の下面との間に納まる長さに形成されている。なお、結合部材２０も、硬化材５０のずれ止めとして機能するので、結合部材２０により十分に付着強度が得られる場合には、ずれ止め部材６０を省略することもでき、また、必要によりその本数を増減させることもできる。
【００３４】
（配筋工程）
配筋工程は、結合部材設置工程およびずれ止め部材設置工程と同時に又は前後して行われる工程であって、図４（ｃ）に示すように、桁１０の上面に鉄筋スペーサ６６を設置し、その上面に鉄筋６５を配置する工程である。鉄筋６５は、図８（ａ）（ｂ）に示すように、硬化材５０に埋設され、硬化材５０のひび割れや剥離を防止するものである。このようにすると、硬化材５０にひび割れが発生し難くなるので、結合部材２０やずれ止め部材６０の腐食を防止することができる。なお、硬化材５０のひび割れ等が問題にならない場合には、鉄筋６５を省略することもできる。
【００３５】
（スペーサ配置工程）
スペーサ配置工程は、結合部材設置工程、ずれ止め部材設置工程および配筋工程と同時に若しくは前後して行われる工程であって、図５（ａ）に示すように、桁１０の上面に各床版４０を支持するスペーサ３０，３０，…を各床版４０に対応して配置する工程である。各スペーサ３０の高さ寸法は、桁１０の無負荷時の反りおよび複数の床版４０，４０，…の総てを桁１０上に載置したときに桁１０に発生するたわみ量に基づいて設定されている。
【００３６】
より詳細には、スペーサ３０の設置位置における床版４０の上面の計画高さをＨ1、スペーサ３０の設置位置における桁１０の上面の無負荷時の高さをＨ2、総ての床版４０，４０，…を載置したときにスペーサ３０の位置において桁１０に発生するたわみ量をδ、床版４０の厚さをＴとすると、このスペーサ３０の高さ寸法ｈは、次式で表される。
ｈ＝（Ｈ1−Ｔ）−Ｈ2＋δ
ここで、δは、構造計算を行うことによって容易に算出することができる。
【００３７】
なお、本実施形態では、一つの床版４０に対して二つのスペーサ３０，３０を配置しているが、スペーサ３０の個数や位置等は図示のものに限定されることはなく、適宜変更しても差し支えない。また、スペーサ３０としては、例えば、木片、コンクリート製のブロック、鋼製のブロック、アルミニウム合金製のブロックなどを使用することができる。
【００３８】
（床版載置工程）
床版載置工程は、スペーサ配置工程に続く工程であって、図５（ｂ）に示すように、床版４０をスペーサ３０の上面に載置する工程である。床版４０をスペーサ３０の上面に載置すると、図７（ａ）（ｂ）に示すように、結合部材２０の上部が床版４０の中空部４５に挿入されることになる。
【００３９】
なお、複数の床版４０，４０，…をスペーサ３０，３０，…に載置すると、床版４０，４０，…の重量により桁１０が下方向にたわみ、その結果、床版４０ごとに異なる大きさで下方向に変位することになるが、当該変位量の違いが各スペーサ３０によって吸収されるので、最終的には、図２に示すように、床版４０，４０，…の上面が平坦（すなわち、所定の路面高さ（線形））になる。
【００４０】
（型枠設置工程）
型枠設置工程は、床版載置工程に続く工程であって、図６（ａ）に示すように、桁１０の上面と床版４０の下面との間の空間を囲繞する型枠５５，５５を設置する工程である。より詳細には、図７（ａ）（ｂ）に示すように、型枠５５の上端を床版４０の下面に密着させ、その下部側面を桁１０の側端面に密着させる。なお、図示は省略するが、妻側にも型枠を設置する。また、型枠５５の設置位置、設置方法には特に制限はないが、硬化材５０を打設したときに、硬化材５０自体やこれに含まれる水等が漏れ出さないようにする必要がある。また、型枠５５には、床版４０の重量が作用しないので、例えば、木板やアルミニウム合金板など軽構造のものを使用することができる。
【００４１】
（硬化材打設工程）
硬化材打設工程は、型枠設置工程に続く工程であって、図８（ａ）（ｂ）に示すように、床版４０の中空部４５および型枠５５，５５で囲繞された空間に、注入孔４１ａもしくは型枠５５に設けた図示しない注入孔から硬化材５０を打設（注入）する工程である。中空部４５の内部および型枠５５，５５の内部の空気は、硬化材５０の注入と同時にガス抜き孔４１ｂ，４１ｂから順次抜け出て行くので、スムーズに充填作業を行うことができ、しかも中空部４５の内部および型枠５５，５５の内部に空気が残留しない。なお、硬化材５０は、無収縮モルタルが好適であるが、コンクリートや樹脂系のものを使用することもできる。
【００４２】
そして、床版４０の中空部４５および型枠５５，５５で囲繞された空間に硬化材５０を充填すると、中空部４５に挿入された結合部材２０が包囲され、かかる状態で硬化材５０が硬化すると床版４０が桁１０と一体に固定される。すなわち、床版４０が硬化材５０を介して桁１０上に固定されることになる。
【００４３】
その後、型枠５５，５５を脱型すると、床版４０の設置作業が完了する（図６（ｂ）参照）。
【００４４】
以上のような床版の設置方法によると、図２に示すように、複数の床版４０，４０，…を桁１０上に載置し、当該複数の床版４０，４０，…の重量により桁１０がたわんだ状態で各床版４０の中空部４５および桁１０の上面と各床版４０の下面との間に硬化材５０を打設するので、硬化材５０の上面と各床版４０の下面とが剥離することがなく、ひいては、各床版４０を安定的に支持することが可能となる。また、硬化材５０が硬化する前においては、スペーサ３０により各床版４０が支持されるので、型枠５５，５５（図７（ａ）参照）に余分な荷重が作用することがなく、その結果、型枠５５，５５の軽構造化および簡略化を図ることが可能となる。
【００４５】
さらに、複数の床版４０，４０，…を載置した後に型枠５５，５５を設置するので（図５（ｂ），図６（ａ）参照）、型枠５５，５５に床版４０の重量が作用することがない。すなわち、型枠５５，５５に変形が生じることがないので、桁１０と型枠５５，５５との間や各床版４０と型枠５５，５５との間に隙間が発生することもなく、その結果、硬化材５０を打設するときに、型枠５５，５５の上下から硬化材５０やこれに含まれる水等が漏れ出し難くなる。
【００４６】
また、桁１０の無負荷時の反りおよび複数の床版４０，４０，…の総てを桁１０に載置したときに桁１０に発生するたわみ量に基づいてスペーサ３０の高さ寸法が設定されているので、総ての床版４０，４０，…を載置したときに、これら複数の床版４０，４０，…の上面が平坦に連続するようになる（図２参照）。すなわち、桁１０の反りの大きさが床版４０の重量に対応していない場合であっても、複数の床版４０，４０，…の上面を連続的に平坦にすることができる。
【００４７】
なお、本実施形態では、桁１０が鋼製であるのに対し、床版４０がアルミニウム合金製であるが、これらの間に無収縮モルタルからなる硬化材５０が介設されているので、鋼とアルミニウム合金との間の電位差に起因する電食の発生を未然に防止することができる。
【００４８】
なお、型枠を桁の上面に設置し、この型枠の上に床版を載置するという方法も考えられるが、このようにすると、型枠自体が重構造になってしまうだけでなく、型枠に床版を載置したときに、桁や型枠のたわみに起因して桁と型枠との間や床版と型枠との間に隙間が発生し、硬化材打設時の止水が不完全になってしまう虞があるのに対し、床版４０を載置した後に型枠５５，５５を設置する本実施形態に係る床版の設置方法によれば、かかる不具合が生ずることがない。
【００４９】
［第２の実施形態］
第２の実施形態に係る床版の設置方法は、図９（ａ）（ｂ）に示すように、上向きの反りのある桁１０上に複数の床版４０，４０，…を連続して設置する方法であって、桁１０の上面に高さ調節可能な複数のスペーサ７０，７０，…を介して各床版４０を載置し、各スペーサの高さを適宜調節して複数の床版４０，４０，…の上面を平坦にしたうえで、桁１０の上面と床版４０の下面との間に形成された空間を囲繞する型枠５５（図６（ａ）参照）を設置し、その後、床版４０の中空部４５および桁１０の上面と床版４０の下面との間に硬化材５０を打設するものであり、結合部材設置工程、ずれ止め部材設置工程、配筋工程、スペーサ配置工程、床版載置工程、スペーサ調節工程、型枠設置工程、硬化材打設工程を含む。
【００５０】
なお、結合部材設置工程、ずれ止め部材設置工程、配筋工程、スペーサ配置工程、床版載置工程、型枠設置工程および硬化材打設工程の各工程は、前記した第１の実施形態に係る床版の設置方法の各工程と同様であるので詳細な説明を省略し、以下では、スペーサ調節工程について詳細に説明する。なお、図９（ａ）（ｂ）では、床版４０の側面の詳細な構成および堰板４４（図３参照）の図示を省略している。
【００５１】
（スペーサ調節工程）
スペーサ調節工程は、床版載置工程に続く工程であって、各スペーサ７０の高さを調節して複数の床版４０，４０，…を平坦にする工程である。スペーサ７０は、図１０に示すように、雄ネジ部７１ａを有する雄部７１と、雄ネジ部７１ａに螺合する雌ネジ部７２ａを有する雌部７２とを備えて構成されており、雌部７２の挿通孔に調節棒７３を挿入し、この調節棒７３を回転させることで、その高さ寸法を調節することができるようになっている。なお、スペーサ７０の構成は一例であり、ジャッキなど高さ調節が可能なものを使用可能であることは言うまでもない。
【００５２】
複数の床版４０，４０，…の上面を平坦にした後の工程は、第１の実施形態の場合と同様であり、桁１０の上面と床版４０の下面との間の空間を囲繞する型枠５５，５５を設置したうえで（図６（ａ）参照）、床版４０の各中空部４５および型枠５５，５５で囲繞された空間に硬化材５０を打設すればよい。
【００５３】
以上のような第２の実施形態に係る床版の設置方法によると、スペーサ７０の高さ寸法を調節することができるので、桁１０の反りの大きさが床版４０の重量に対応していない場合であっても、複数の床版４０，４０，…の上面を連続的に平坦にすることができる。
【００５４】
また、第１の実施形態の場合と同様に、複数の床版４０，４０，…を桁１０上に載置した状態で各床版４０の中空部４５および型枠５５，５５（図６（ａ）参照）で囲繞された空間に硬化材５０を打設するので、硬化材５０の上面と各床版４０の下面とが剥離することがなく、ひいては、床版４０を安定的に支持することが可能となる。
【００５５】
なお、前記した各実施形態では、新設の床版の方が既設の床版よりも軽量である場合（即ち、桁に形成された反りが大きい場合）を例示したが、本発明に係る床版の設置方法は、既設の床版の方が新設の床版よりも軽量である場合（すなわち、桁に形成された反りが小さく、新設の床版を載置したときに下向きにたわみが生じる場合）であっても適用することができ。また、前記した各実施形態では、桁１０に上向きの反りがある場合を例示したが、本発明に係る床版の設置方法は、下向きの反りがある場合にも適用することができる。
【００５６】
また、床版４０の形状等も図示のものに限定されることはなく、適宜変更しても差し支えない。さらに、本実施形態では、床版４０をアルミニウム合金製としたが、これに限定されることはなく、鋼製の床版やＰＣ床版、さらにはその他の材質の床版であってもよいことは言うまでもない。
【図面の簡単な説明】
【００５７】
【図１】第１の実施形態に係る床版の設置方法を説明するための斜視図である。
【図２】第１の実施形態に係る床版の設置方法を説明するための側面図である。
【図３】（ａ）は床版の斜視図、（ｂ）は同じく側面図である。
【図４】（ａ）は反りのある桁を示す斜視図、（ｂ）は結合部材設置工程を説明するための斜視図、（ｃ）はずれ止め部材設置工程および配筋工程を説明するための斜視図である。
【図５】（ａ）はスペーサ配置工程を説明するための斜視図、（ｂ）は床版載置工程を説明するための斜視図である。
【図６】（ａ）は型枠設置工程を説明するための斜視図、（ｂ）は型枠を外した状態を示す斜視図である。
【図７】（ａ）は床版をスペーサに載置し、桁の上面と床版の下面との間の空間を囲繞する型枠を設置した状態を示す断面図、（ｂ）は（ａ）のＸ１−Ｘ１線断面図である。
【図８】硬化材を打設した状態を示す図であって、（ａ）は断面図、（ｂ）は（ａ）のＸ２−Ｘ２線断面図である。
【図９】第２の実施形態に係る床版の設置方法を説明するための側面図であって、（ａ）はスペーサに載置した状態を示す図、（ｂ）はスペーサの高さを調節して床版の上面を平坦にした状態を示す図である。
【図１０】高さ調節可能なスペーサの一例を示す斜視図である。
【図１１】既設の床版をより軽量な床版に取り替える際の問題点を説明するための側面図であって、（ａ）は既設の床版が設置された状態を示す図、（ｂ）は既設の床版を撤去した状態を示す図、（ｃ）は新設の床版を設置した状態を示す図である。
【符号の説明】
【００５８】
１０    桁
２０    結合部材
３０，７０  スペーサ
４０    床版
４５    中空部
５０    硬化材
５５    型枠
６０    ずれ止め部材
６５    鉄筋
１４０  既設の床版
【図１】
2005213826.tif 000003
【図２】
2005213826.tif 000004
【図３】
2005213826.tif 000005
【図４】
2005213826.tif 000006
【図５】
2005213826.tif 000007
【図６】
2005213826.tif 000008
【図７】
2005213826.tif 000009
【図８】
2005213826.tif 000010
【図９】
2005213826.tif 000011
【図１０】
2005213826.tif 000012
【図１１】
2005213826.tif 000013